(57)【要約】      （修正有）【課題】調節式耐荷重支持脚部を設け、受信装置本体上で回動させて荷重を支える効果を形成した、キャップ式USBテレビ受信装置の提供。 【解決手段】キャップ式USBテレビ受信装置であって、受信装置本体を含み、前記本体内に受信ユニットが設置され、前端にUSBコネクタが設けられ、且つ、前記USBコネクタと受信ユニットが相互に接続され、USBコネクタ上にキャップ式蓋体が設置され、受信装置本体後部に延長可能なテレビ受信アンテナが設けられ、前記受信ユニットと相互に接続されると共に、本体後端にキャップ式蓋体の収納端が設けられ、そのうち、前記キャップ式蓋体上に調節式耐荷重支持脚部が設置され、且つ、蓋体とテレビ受信アンテナが相互に対応する箇所に受信アンテナ保持部が設けられる。【選択図】図１
0003132099.tif 000002
【実用新案登録請求の範囲】
【請求項１】
キャップ式USBテレビ受信装置であって、受信装置本体、キャップ式蓋体、調節式耐荷重支持脚部、テレビ受信アンテナを含み、そのうち、前記受信装置本体内に受信ユニットが設置され、前端にUSBコネクタが設けられ、且つ、前記USBコネクタが前記受信ユニットと相互に接続され、前記受信装置本体後部に収納端が設けられ、前記キャップ式蓋体を収納して固定し、前記キャップ式蓋体遺失のリスクを避けることができると共に、前記キャップ式蓋体は前記USBコネクタの外縁に被せて固定され、前記キャップ式蓋体外縁に枢接孔が設けられ、前記調節式耐荷重支持脚部を枢接することができ、前記耐荷重支持脚部は枢接軸棒により前記キャップ式蓋体と相互に枢接され、前記耐荷重支持脚部を前記キャップ式蓋体上で回動させることができることを特徴とする、キャップ式USBテレビ受信装置。        
【請求項２】
前記USBコネクタがUSBである、請求項１に記載のキャップ式USBテレビ受信装置。
【請求項３】
前記USBコネクタがMini USBである、請求項１に記載のキャップ式USBテレビ受信装置。    
【請求項４】
前記キャップ式蓋体の枢接孔外縁に少なくとも１つ以上の位置決め孔が形成され、前記調節式耐荷重支持脚部内縁に少なくとも１つ以上の位置決め突起が設けられ、前記位置決め突起と前記キャップ式蓋体の位置決め孔の組み合わせにより、異なる高さに回動させ調整するという目的を達することができ、前記耐荷重支持脚部外縁にさらに前記テレビ受信アンテナを固定するための受信アンテナ保持部が設けられ、使用者が収納するとき、前記テレビ受信アンテナを固定することができると共に、使用者が操作し使用するとき、前記テレビ受信装置とUSBコネクタの使用に影響しない、請求項１に記載のキャップ式USBテレビ受信装置。    
【請求項５】
キャップ式USBテレビ受信装置であって、受信装置本体を含み、前記受信装置本体内に受信ユニットが設置され、前端にUSBコネクタが設けられ、且つ、前記USBコネクタが前記受信ユニットと相互に接続され、前記受信装置本体上に調節式耐荷重支持脚部が設置され、前記耐荷重支持脚部が前記受信装置本体上で回動可能であることを特徴とする、キャップ式USBテレビ受信装置。
【請求項６】
前記耐荷重支持脚部と前記受信装置本体が、耐荷重支持脚部の枢接軸棒と受信装置本体上の枢接孔により相互に枢接される、請求項５に記載のキャップ式USBテレビ受信装置。  
【請求項７】
前記USBコネクタがUSBである、請求項５に記載のキャップ式USBテレビ受信装置。
【請求項８】
前記USBコネクタがMini USBである、請求項５に記載のキャップ式USBテレビ受信装置。
【考案の詳細な説明】
【技術分野】
【０００１】
本考案はキャップ式USBテレビ受信装置に関し、特に、調節式耐荷重支持脚部の設置により、荷重のある電子受信装置を操作し使用するとき、しっかりと携帯型コンピュータ上に接続固定し、接触不良を防止して大幅にその使用安定性を向上し、同時に携帯型コンピュータと対応するUSBコネクタの重力負担を大幅に減少する、キャップ式USBテレビ受信装置に関する。
【背景技術】
【０００２】
電子情報産業の発展に伴い、各種電子情報製品は絶え間なく新しいものが出現し、製品は多元化及び多機能の設計に向かっているほか、その体積はより軽量で薄く、小型化の方向に設計が進んでおり、使用者が楽に携帯し使用することができる。デスクトップ型コンピュータまたは携帯型コンピュータ等の電子情報製品のどちらを取ってみても、その体積は以前よりかなり小さくなっており、またこのために各種周辺関連電子製品もより使用者の携帯使用に便利な方向へと設計が行なわれている。中でも、使用率が最も高い携帯型メモリや外付けデジタルテレビ受信機等の電子受信装置においては、コンピュータの対応するUSBコネクタと相互接続するだけで操作し使用するという目的を達することができるため、例えばUSB、Mini USB等のコンピュータ上の対応するUSBコネクタは、電子受信装置の重量を受けるだけでなく、電子受信装置本体以外の部材重量の負荷も受けるため、電子受信装置をコンピュータに接続して使用するとき、長時間宙に浮いた状態で使用されると、電子受信装置が自然に垂下し、電気信号接続の接触不良の問題が起きやすく、使用者の操作使用上不便であり、非常に惜しいことである。
【０００３】
このことから分かるように、上述のような従来品にはまだ多くの欠点があり、より優れた設計と改良が待たれている。
【０００４】
本考案の考案者は上述の従来の電子受信装置に派生する各項の欠点に鑑みて、改良の工夫を加え、長年の研究を経てついに本考案のキャップ式USBテレビ受信装置の開発に成功したものである。
【考案の開示】
【考案が解決しようとする課題】
【０００５】
本考案の主な目的は、調節式耐荷重支持脚部の設置により、受信装置本体上でこの調節式耐荷重支持脚部を回動させることで、荷重を支える効果を形成した、キャップ式USBテレビ受信装置を提供することにある。
【０００６】
本考案の第二の目的は、耐荷重支持脚部内側の位置決め突起の設置により、キャップ式蓋体外縁の位置決め孔と相互に対応させて支持高さを精密に調整することができる、キャップ式USBテレビ受信装置を提供することにある。
【０００７】
本考案の第三の目的は、電子受信装置後部収納端の設置により、キャップ式蓋体と相互に接続固定することができ、使用時にキャップ式蓋体が脱落しにくく、同時に安定した支持効果を備えた、キャップ式USBテレビ受信装置を提供することにある。
【０００８】
本考案の第四の目的は、構造が簡単で、製造が容易なキャップ式USBテレビ受信装置を提供することにある。
【０００９】
本考案の第五の目的は、操作が簡単等、多くの利点を備えた、キャップ式USBテレビ受信装置を提供することにある。        
【課題を解決するための手段】
【００１０】
本考案のキャップ式USBテレビ受信装置は、受信装置本体、キャップ式蓋体、調節式耐荷重支持脚部を含んで成る。
【００１１】
前記受信装置本体は内部に受信ユニットが設けられ、且つ、受信ユニット上にテレビ受信アンテナが接続固定され、同時に、本体前端にUSBコネクタが設けられ、且つ、前記USBコネクタが受信ユニットと相互に接続され、このUSBコネクタの設置により、対応するコンピュータと相互に接続して使用するという目的を達すると共に、本体後部に収納端が設けられ、この収納端の設置により、下述する蓋体を収納し固定することができる。
【００１２】
前記キャップ式蓋体はUSBコネクタの外縁に被せて固定され、USBコネクタを保護するという目的を達すると共に、このキャップ式蓋体外縁に枢接孔が設けられ、且つ、枢接孔外縁に少なくとも１つ以上の位置決め孔が形成され、調節式耐荷重支持脚部を枢接固定し、回動させ位置決めして使用することができる。
【００１３】
前記耐荷重支持脚部は枢接軸棒でキャップ式蓋体の枢接孔と相互に枢接され、耐荷重支持脚部を蓋体上で回動させることができ、同時にその内縁に少なくとも１つ以上の位置決め突起が設けられ、この位置決め突起とキャップ式蓋体の位置決め孔の組み合わせにより、回動させて異なる高さに調整するという目的を達することができると共に、その外縁にはテレビ受信アンテナを固定するための受信アンテナ保持部が設けられ、使用者が収納するとき、テレビ受信アンテナを固定することができ、且つ、使用者が操作し使用するとき、このテレビ受信装置とUSBコネクタの使用に影響することがない。
【００１４】
使用者が操作し使用するときの使用手順は以下の通りである：
手順一：テレビ受信アンテナを受信アンテナ保持部から取り出す。
手順二：キャップ式蓋体を取り外し、受信装置本体後端の収納端上に固定する。
手順三：キャップ式蓋体上の調節式耐荷重支持脚部を調整する。
手順四：USBコネクタを介し受信装置本体をコンピュータのUSBメスコネクタに挿入接続する。
手順五：延長可能なテレビ受信アンテナを引き出し、方向を調整して使用する。
【考案の効果】
【００１５】
上述の使用手順により、キャップ式USBテレビ受信装置がコンピュータ上にしっかりと固定され、USBコネクタの接触不良を防ぐことができる。また、使用過程において、本テレビ受信装置は先にテレビ受信アンテナが取り出され、延長されるテレビ受信アンテナ及びキャップ式蓋体上の調節式耐荷重支持脚部の受信アンテナ保持部はコンピュータ上のその他接続コネクタの使用に影響しない。このほか、本考案の耐荷重支持脚部は蓋体上に設けられるほか、電子受信装置本体上に設けてもよく、製造コストを抑えることができると共に、蓋体遺失のリスクを低減することができる。    
【実施例１】
【００１６】
図１及び図２に本考案のキャップ式USBテレビ受信装置の立体分解図及び組み立て後の立体斜視図をそれぞれ示す。本考案のキャップ式USBテレビ受信装置は主に、受信装置本体１、キャップ式蓋体２、調節式耐荷重支持脚部３を含んで成る。
【００１７】
前記受信装置本体１は内部に受信ユニット１１が設けられ、前端にUSBコネクタ１２が設置され、且つ、前記USBコネクタ１２は受信ユニット１１と相互に接続され、このUSBコネクタ１２の設置により、対応するコンピュータ５と相互に接続して使用するという目的を達することができ、前記受信ユニット１１外縁に延長可能なテレビ受信アンテナ４が接続され、効果的にテレビ信号を受信することができると共に、本体１後部には収納端１３が設けられ、この収納端１３の設置により、下述する蓋体２を収納固定することができ、そのうち、上述のUSBコネクタ１２はUSB、Mini USB等のUSBコネクタとすることができる。
【００１８】
前記キャップ式蓋体２は前記USBコネクタ １２外縁に被せて固定され、USBコネクタ１２を保護するという目的を達することができると共に、このキャップ式蓋体２外縁には枢接孔２１が設けられ、且つ、この枢接孔２１外縁に少なくとも１つ以上の位置決め孔２２が設けられ、調節式耐荷重支持脚部３を枢接固定し、回動させ位置決めして使用することができる。
【００１９】
前記調節式耐荷重支持脚部３は枢接軸棒３１により蓋体２の枢接孔２１と相互に枢接され、耐荷重支持脚部３を蓋体２上で回動させることができ、同時にその内縁に少なくとも１つ以上の位置決め突起３２が設けられ、この位置決め突起３２と蓋体２の位置決め孔２２の組み合わせにより、回動させて異なる高さに調整するという目的を達するほか、その外縁にはテレビ受信アンテナを固定するための受信アンテナ保持部３３が設けられ、使用者が収納するとき、テレビ受信アンテナ４が固定されると共に、使用者が操作し使用するとき、このテレビ受信装置とUSBコネクタの使用に影響しない。
【００２０】
図３及び図４A-Dに本考案所のキャップ式USBテレビ受信装置の使用時の動作を示す。その使用手順は次の通りである。
手順一：テレビ受信アンテナ４を受信アンテナ保持部３３から取り出す。
手順二：キャップ式蓋体２を取り外し、且つ、受信装置本体１後端の収納端１３上に固定する。
手順三：キャップ式蓋体２上の調節式耐荷重支持脚部３を調整する。
手順四：USBコネクタ１２を介し受信装置本体１をコンピュータ５のUSBメスコネクタに挿入接続する。
手順五：延長可能なテレビ受信アンテナ４を引き出し、方向を調整して使用する。
【００２１】
上述の使用手順により、キャップ式USBテレビ受信装置がコンピュータ５上にしっかりと固定され、USBコネクタ１２の接触不良を防ぐことができる。
【実施例２】
【００２２】
図５に本考案のキャップ式USBテレビ受信装置の別の実施例の立体斜視図を示す。本考案の耐荷重支持脚部３はキャップ式蓋体２上に設置することができるほか、キャップ式USBテレビ受信装置の受信装置本体１上に直接設置することもでき、耐荷重支持脚部３の枢接軸棒と受信装置本体１上の枢接孔を相互に枢接し、キャップ式蓋体２の製造を取りやめれば大幅に製造コストを抑えることができ、且つキャップ式蓋体２遺失のリスクをなくすことができる。
【００２３】
上述の詳細な説明は、本考案の最良の実施例についての具体的な説明であり、前記の実施例は本考案の特許範囲を制限するものではなく、本考案の技術的要旨を逸脱しない同等効果を得る実施または変更はすべて本考案の特許範囲に含まれるものとする。  
【図面の簡単な説明】
【００２４】
【図１】本考案のキャップ式USBテレビ受信装置の立体分解図である。
【図２】本考案のキャップ式USBテレビ受信装置の立体斜視図である。
【図３】本考案のキャップ式USBテレビ受信装置の使用状態を示す立体分解図である。
【図４Ａ】本考案のキャップ式USBテレビ受信装置の使用時の動作を示す側面図である。
【図４Ｂ】本考案のキャップ式USBテレビ受信装置の使用時の動作を示す側面図である。
【図４Ｃ】本考案のキャップ式USBテレビ受信装置の使用時の動作を示す側面図である。
【図４Ｄ】本考案のキャップ式USBテレビ受信装置の使用時の動作を示す側面図である。
【図５】本考案のキャップ式USBテレビ受信装置の別の実施例の立体斜視図である。
【符号の説明】
【００２５】
１        受信装置本体
１１    受信ユニット
１２    USBコネクタ
１３    収納端
２      キャップ式蓋体
２１    枢接孔
２２    位置決め孔
３      調節式耐荷重支持脚部
３１    枢接軸棒
３２    位置決め突起
３３    受信アンテナ保持部
４      テレビ受信アンテナ
５      コンピュータ        
【図１】
0003132099.tif 000003
【図２】
0003132099.tif 000004
【図３】
0003132099.tif 000005
【図４Ａ】
0003132099.tif 000006
【図４Ｂ】
0003132099.tif 000007
【図４Ｃ】
0003132099.tif 000008
【図４Ｄ】
0003132099.tif 000009
【図５】
0003132099.tif 000010